(57)【特許請求の範囲】
【請求項１】
誘引されて近づいてくる虫を吸着する吸着部と、前記吸着部に近接して設けられ、吸着された前記虫を殺虫する殺虫部とを有する害虫防除装置であって、
前記吸着部は、気流を発生させる気流生成部と、前記気流が順逆両方向に通過可能な孔部とを有し、
前記殺虫部で殺虫された虫を逆方向の気流で、前記吸着部から放出可能に構成された害虫防除装置。
【請求項２】
請求項１に記載の害虫防除装置であって、
前記殺虫部は、前記吸着部に近接して設けられた加熱部を具備した害虫防除装置。
【請求項３】
請求項１または２に記載の害虫防除装置であって、
吸着部は、外気を遮断できるように開閉可能な蓋部を具備し、
前記殺虫部で殺虫がなされているときは、前記蓋部は閉じられている害虫防除装置。
【請求項４】
請求項１乃至３のいずれか１項に記載の害虫防除装置であって、
吸着部は、前記吸着部の前面下方に、排出された虫を収納する虫収集部を具備した害虫防除装置。
【請求項５】
請求項４に記載の害虫防除装置であって、
吸着部は、前記孔部を具備した板状体を具備し、前記板状体と前記虫収集部の入り口とが交差した害虫防除装置。
【請求項６】
請求項５に記載の害虫防除装置であって、
前記孔部を具備した板状体は、重力方向と所定の角度をなすように構成された害虫防除装置。
【請求項７】
請求項６に記載の害虫防除装置であって、
前記吸着部は、吸着された虫の数量をモニタリングする吸着モニタリング部と、前記吸着モニタリング部の出力が、虫の数量が一定を超えたと判断されたときだけ前記殺虫部を稼働させる制御部とを具備した害虫防除装置。
【発明の詳細な説明】
【技術分野】
【０００１】
本発明は、害虫防除装置に関する。
【背景技術】
【０００２】
一般住宅への設置も可能な光誘引性虫類の捕捉装置として、図１６に一例を示すように、ライト１０２と、ライト１０２との間に光誘引性虫類Ｆが通過可能な通過間隙１０８を介してライト１０２を覆いライト１０２の少なくとも下方側に通過間隙１０８に連通して光誘引性虫類Ｆが侵入可能な開放口１０９が設けられたフード１０３と、フード１０３に接続されフード１０３から離間した位置まで配設されフード１０３の通過間隙１０８に連通して光誘引性虫類Ｆを通過可能にした搬送管１０４と、搬送管１０４に接続してフード１０３の開放口１０９から吸気を行なうバキューム機構１１９と、バキューム機構１１０に隣接設置され光誘引性虫類Ｆを捕捉収納する捕捉部１１２とを備えた捕捉装置が提案されている（特許文献１）。この構成によれば、捕捉性能が向上するとともに、ライトを照明としても有効に機能させることができ、既存設備を用いて容易に改造実施することができるとされている。
【０００３】
【特許文献１】特開平５−１６１４４３号公報
【発明の開示】
【発明が解決しようとする課題】
【０００４】
しかしながら、このようなバキューム機構を用いて減圧により虫を吸着する害虫防除装置では、虫の吸着量が大きくなると目詰まりにより吸着力が低下するという問題があった。
本発明は前記実情に鑑みてなされたもので、吸着力の低下なしに、安定して継続的に害虫防除を行なうことのできる害虫防除装置を提供することを目的とする。
【課題を解決するための手段】
【０００５】
そこで本発明は、誘引されて近づいてくる虫を吸着する吸着部と、前記吸着部に近接して設けられ、吸着された前記虫を殺虫する殺虫部とを有する害虫防除装置であって、前記吸着部は、気流を発生させる気流生成部と、前記気流が順逆両方向に通過可能な孔部とを有し、前記殺虫部で殺虫された虫を逆方向の気流で、前記吸着部から放出可能に構成されたことを特徴とする。
減圧により虫を吸着する害虫防除装置では吸着量が大きくなると目詰まりにより吸着力が低下するという問題があったが、この構成によれば、吸着部に吸着させた虫を殺虫した後に，気流を逆方向に生じさせることで虫を吸着部から放すように構成されているため、目詰まりがなく、安定した殺虫を継続して行うことができる。
【０００６】
また本発明は、上記害虫防除装置において、前記殺虫部が、前記吸着部に近接して設けられた加熱部を具備したものを含む。
この構成によれば、吸着部で吸着させた虫を熱により殺虫していることから、電撃殺虫と異なり静かに殺虫することができる。
【０００７】
また本発明は、上記害虫防除装置において、吸着部は、外気を遮断できるように開閉可能な蓋部を具備し、前記殺虫部で殺虫がなされているときは、前記蓋部は閉じられているものを含む。
この構成によれば、吸着部を外気と遮蔽する開閉可能な蓋部を設け、蓋部を閉じてから殺虫し、吸着部に固定されている虫を排除した後、ふたたび蓋部を開放するようにしているため、効率的に温度を上げることができるため、使用するヒータの性能は低いものですみ、消費電力も少なくてすむ。
【０００８】
また本発明は、上記害虫防除装置において、吸着部は、前記吸着部の前面下方に、排出された虫を収納する虫収集部を具備したものを含む。
この構成によれば、排出された虫を溜める虫収集部を、吸着部の前面下方に設置しているため、排出した虫を虫収集部で受けることができ、周辺に虫が散乱したりすることなく衛生的である。
【０００９】
また本発明は、上記害虫防除装置において、吸着部は、前記孔部を具備した板状体を具備し、前記板状体と前記虫収集部の入り口とが交差したものを含む。
この構成によれば、吸着部のうち孔部が設けられる面と虫収集部の入り口面が交差し、かつ孔部が設けられ、吸着部から放された虫は孔部が設けられた面を滑り落ちて虫収集部に落ちるので、虫収集部の開口面を小さくすることができ、器具全体も小型化される。 
【００１０】
また本発明は、上記害虫防除装置において、前記孔部を具備した板状体は、重力方向と所定の角度をなすように構成されたものを含む。
この構成によれば、吸着部のうち孔部が設けられる面と虫収集部の入り口面が交差し、かつ孔部が設けられ、虫が吸着される面が重力方向でないため、吸着の際に重力を利用できるため吸着しやすい上、排出した虫が吸着部に留まりにくく、効率良く虫収集部に落とせるため、高い捕虫効率とメンテナンスし易さとを両立することができる。
【００１１】
また本発明は、上記害虫防除装置において、前記吸着部は、吸着された虫の数量をモニタリングする吸着モニタリング部と、前記吸着モニタリング部の出力が、虫の数量が一定を超えたと判断されたときだけ前記殺虫部を稼働させる制御部とを具備したものを含む。
この構成によれば、殺虫装置の稼働を最低限に抑え、省エネを図ることができる。
【発明の効果】
【００１２】
以上説明してきたように、本発明の害虫防除装置によれば、気流により虫を吸着部に吸着し、吸着部に虫が蓄積した際に、熱で殺虫したのちに気流を逆方向に生じさせることにより、吸着部の虫を死滅させてから除去することができ、継続的処理が可能で、メンテナンスが容易である。
なお、気流により虫を吸着部に吸着し、蓄積したところで、逆方向の気流により虫収集部に収集するため、継続的処理が可能で、メンテナンスが容易である。
【発明を実施するための最良の形態】
【００１３】
以下本発明の実施の形態の害虫防除装置について図面を参照しつつ詳細に説明する。
この害虫防除装置は、図１乃至図３に示すように、装置ケース本体１内に、誘引されて近づいてくる虫を吸着する吸着部６と、前記吸着部６に近接して設けられ、吸着された前記虫を殺虫する殺虫部７とを有し、前記吸着部６は、気流を発生させる気流生成部８と、前記気流が順逆両方向に通過可能な孔部ｈを有する吸着板６Ｓとを有し、前記殺虫部で殺虫された虫を逆方向の気流で、前記吸着部６から放出可能に構成されたことを特徴とする。なお殺虫部７は、電熱線で構成された虫加熱部を具備している。また吸着部６への虫の吸着状態を検知するために紫外線強度センサ１１が吸着板６Ｓの背面側すなわち、気流生成部側に配置されている。
【００１４】
また、吸着部６の前方には、樋状の反射板３Ｒを配した誘虫ランプが設けられ、誘引部３を構成している。また吸着部６の背面に配置され、虫加熱部として電熱線のパターンを形成して殺虫部７を構成している。図２では電熱線で構成された殺虫部７は省略したが、図３は殺虫部７を構成する電熱線を示す図である。誘虫ランプからなる誘引部３には、虫を誘引する視覚的な刺激を発するものとして、発光ピーク波長が３６５ｎｍ近傍にある誘虫蛍光灯を用いた。昆虫誘引部３の背面の虫吸着部６を構成する吸着板６Ｓは、孔ｈを有するアルミ製の板状体であって、捕殺した昆虫が滑落し、虫収集部５に入り易いように、表面が水平面に対して６０°の傾斜をもつように配置されている。この電熱線は印刷配線パターンで構成される。
【００１５】
また、気流生成部８は、ポンプ８Ｐで引き起こされた気流を吸着部の吸着板６Ｓを介して虫を吸着するとともに、吸着板６Ｓ上で殺虫部７によって殺虫された虫を、逆方向の気流で吸着板６Ｓから剥がし、虫収集部５に入るように構成されている。
【００１６】
図４（ａ）は昆虫誘引時を示す模式図であり、ポンプ８Ｐの作動により気流生成部８は矢印ａ方向の気流を発生し、虫吸着部６の孔ｈを介して昆虫Ｍを吸着する。そして殺虫部７の作動により昆虫Ｍを加熱し、殺虫する。この後図４（ｂ）に示すように、逆方向の気流（矢印ｂ方向）を発生し、昆虫Ｍを排出する。
【００１７】
昆虫は誘虫ランプからなる昆虫誘引部３からの光に刺激されてケース本体１の開口部よりケース本体１内に侵入し、図４（ａ）に示すように、気流生成部８によるａ方向の気流により、昆虫誘引部３の表面に近づき、そこで電熱線からの熱照射を受けて加熱される。そして、図４（ｂ）に示すように、逆方向の気流（矢印ｂ方向）を発生し、昆虫Ｍを虫吸着部６から剥がし、排出する。そして昆虫誘引部３の表面に落ち、昆虫誘引部３および虫吸着板６Ｓの傾斜に沿って滑落し、ケース本体１の虫収集部５に落下収集される。
【００１８】
昆虫をはじめとする虫は体が小さいため、熱容量が小さい。このため、温度が高いほど死滅に要する時間は短かくなる。
【００１９】
ここで１１は紫外線強度センサであり、虫の吸着状況を検知し、検出信号を安定器１２を介して制御部１４に出力し、この制御部１４によってポンプ８Ｐを駆動するように構成されている。１３は端子台、１５は電源線である。
【００２０】
またポンプ８Ｐは、図５に断面説明図を示すように、ケーシング８１内に配設された羽根車８２が、ベアリング８５の回転によりシャフト８４を介して回転することで、気流生成部８に、所望の方向の気流を生成できるように構成されている。８３は軸シール部である。このポンプ８Ｐの回転方向は前記制御部１４によって制御され、紫外線強度センサ１１によって検知される虫の吸着状況によって決定される。
【００２１】
次にこの害虫防除装置の動作について図面を参照しつつ詳細に説明する。
図６（ａ）は気流発生部の気流の方向を示すタイムチャートであり、Ｈは→ａの方向、Ｌは→ｂの方向である。Ｔａはａ方向の気流を発生している時間を示し、Ｔｂはｂ方向の気流を発生している時間を示す。また図６（ｂ）は紫外線強度センサ１１の出力を虫の吸着量に換算した値を示すタイムチャートであり、虫の吸着部への吸着状況を示す。
まず、電源を投入すると、誘引部３を構成する捕虫用ランプが点灯して、ポンプが動作し、ａ方向に気流が発生する。
この状態で、捕虫用ランプに虫が誘引され、吸着部６に近づくと、吸着部６に設けられた孔ｈからの気流に吸いつけられ、孔ｈが設けられた吸着部６表面に虫が固定される（図４（ａ））。
そして、この吸着部６に固定される虫が増えるに従って、複数設けられた孔ｈが虫によって塞がれ、吸着部裏面の紫外線強度が低下する。
【００２２】
そして吸着部裏面側に設けられた紫外線強度センサ１１で得られる紫外線強度が閾値を下回ると、十分多くの虫が吸着部６に固定されたと判断され、吸着部６裏面に配された殺虫部７（電熱線）に電流が流れる。
このようにして、一定時間電熱線に通電がなされ、十分熱が上がり、虫が死滅したところで、殺虫部７を構成する電熱線の電源が切断される。
そして、ポンプを逆方向に回転させ、孔より空気を噴出し、固定された虫を吸着部６から放す。
このようにして放された虫は虫収集部５に落下する。
そして吸着部の孔に付着した虫が除去され、吸着部裏面の紫外線強度が元に戻り、紫外線強度センサ１１の出力が所定の値以上になると、再びポンプを順方向に回転させ、吸引動作に戻る。
【００２３】
このように、本実施の形態の害虫防除装置によれば、気流により虫を吸着部に吸着するため、吸引効果の減少なしに継続して使用でき、また吸着部に吸着させた虫を殺虫したのちに気流を逆方向に生じさせることにより、効率よく処理することができる。従って、継続的処理が可能で、メンテナンスが容易である。
【００２４】
また、虫加熱部から電熱線による熱を放射し、虫誘引部に誘引された虫に熱を加えて捕虫もしくは殺虫するので、虫の死骸が飛散することはない。また、いくら虫を捕殺しても捕殺能力が落ちないため、メンテナンスの頻度を大幅に低減することができる。
【００２５】
なお吸着部は、微細な給排気口(孔)を無数に備えた板状材で構成される。孔の直径は対象とする虫の大きさによって変えることが可能であるが、一般的には０．５ｍｍ〜２ｍｍ程度が望ましい。孔の間隔は孔の直径の２倍程度が望ましい。また、材質は、紫外線の反射率の高さ、伝導性の高さから、アルミニウムを用いるのが望ましい。また、殺虫装置として吸着部表面もしくは背面に電熱線を配するようにしてもよい。
【００２６】
また、殺虫部の駆動タイミングとしては、虫が吸着部に着地してから殺虫部を駆動するようにしてもよいし、気流発生部の駆動に同期して作動し、逆流時に停止するようにしてもよい。また、殺虫装置を駆動している間、殺虫部を駆動しておくようにしてもよい。さらにまた、殺虫部は、吸着部に吸着された虫を殺す装置であり、吸着部をこするブラシ、吸着部周辺の閉鎖装置とこの加熱装置の組合せ、吸着部と一体化した電熱線からなる加熱装置、吸着部表面をこするブラシ、吸着部と一体化した電熱線などを付加してすることも可能である。
また、吸着部表面をこするブラシとしては、棒状のタワシが回転しながら吸着部表面を上下に往来するような機構を用いてもよい。
【００２７】
本実施の形態では、紫外線強度センサ１１を用いて、吸着モニタリング部を構成している。紫外線強度センサ１１は捕虫用ランプの紫外線を吸着部６の孔ｈを通して感知している。塞がれる孔ｈが増えて紫外線強度が弱まると、固定された虫が増えたものと判断して、殺虫部７を構成する電熱線を稼働させた後、ポンプ８Ｐを逆回転させるように構成したが、必ずしも紫外線強度センサを用いる必要はなく、吸着室の圧力変化を測定し、圧力が低下したとき、孔が塞がっていると判断するモニタ方法、吸着部を撮影するカメラを用いて画像解析により孔が塞がっていると判断するモニタ方法、吸着部の裏側に設置された照度計、吸着部表面部物体の有無を検出する赤外線センサなども有効である。
【００２８】
吸着室の圧力変化を測定する方法は、吸着室内に圧力センサを配置し、圧力の低下速度が小さくなったとき、ほぼすべて孔が塞がり、これ以上吸引ができないものと判断し、逆流を生成する。
【００２９】
また吸着部を撮影するカメラを用いて画像解析により孔の塞がり状況を判断する方法は、吸着部の近傍にカメラを配置し、虫の吸着状況を撮影する方法である。望ましくは、気流発生部８がオンとなるのに同期してカメラが作動し、撮影がなされ、画像データを解析することで、吸着部６の孔の塞がり状況を検出し、塞がっていると判断されると、気流発生部８をオフにし、逆流を生成する。そして、吸着部８の虫が排除されたと検知したとき、再び、吸着を開始するように気流発生部８をオンにする・・という一連の動作を続行するようにすればよい。
【００３０】
なお、誘引部は光による誘引だけでなく、光刺激やフェロモンなどの匂い刺激、音刺激などの虫を誘引する刺激を発する、紫外線ランプや匂源などの虫誘引部も適用可能であり、さらにこれらの虫誘引部と、虫加熱部を組み合わせ、虫誘引部の刺激で誘引された虫を加熱することで、容易に捕虫もしくは殺虫が可能である。
【００３１】
（実施の形態２）
次に本発明の実施の形態２の害虫防除装置について説明する。
本実施の形態では、図７乃至９に示すように、吸着部６周辺に閉鎖装置としての蓋２を設け、虫を誘引後、吸着部周辺を閉鎖空間にし、効率よく虫を吸着部に吸着させ、殺虫部で殺虫した後、気流発生部で逆流を生成し，吸着部６から蓋２に向けて殺虫された虫を放出し、虫収集部５に落下させて収集するように構成したものである。図７および図８は蓋を開けた状態および閉じた状態を示す斜視図であり、図９（ａ）乃至（ｃ）は誘引、吸着、収集の各ステップを示す図である。
【００３２】
内部構造は図１および２に示した前記実施の形態１の構造と同様であるが、吸着部周辺の閉鎖装置として、図７に示すようにスライド式の蓋２が捕虫器開口部前面に設けられ、蓋２とこの蓋２の両端に設けられたレール４とモータ１６、歯車１７によって蓋２が引き上げられ、開口部が閉鎖されるように構成されている。図８はこの蓋２を閉鎖状態にしたときを示す図である。
【００３３】
このとき、蓋２の内面側は逆気流に乗ってぶつかってくる虫に対して反射板となり、下方の虫収集部に虫Ｍを滑落させる。従って蓋２は、石英ガラス板にサンドブラスト処理を行ったもの使用し、捕殺した昆虫が滑落し易いように、表面が水平面に対して７５°の傾斜になるように配置した。
【００３４】
次にこの害虫防除装置の動作について図面を参照しつつ詳細に説明する。
図１０（ａ）は気流生成部の気流の方向を示すタイムチャートであり、Ｈは→ａの方向、Ｌは→ｂの方向である。Ｔａはａ方向の気流を発生している時間を示し、Ｔｂはｂ方向の気流を発生している時間を示す。また図１０（ｂ）は紫外線強度センサ１１の出力を虫の吸着量に換算した値を示すタイムチャートであり、虫の吸着部への吸着状況を検出する。
まず、電源を投入すると、図示しない誘引部を構成する捕虫用ランプが点灯して、ポンプ８Ｐが動作し、ａに示す方向に気流が発生する。
図９（ａ）に示すように、捕虫用ランプに虫が誘引され、所定量の虫が吸着部６に近づきケース１内に入る。
【００３５】
この状態で図９（ｂ）に示すように、さらにａ方向に気流を流すと、吸着部６に設けられた孔ｈからの気流に吸いつけられ、孔ｈが設けられた吸着部６表面に虫Ｍが固定される。
このようにして、この吸着部６に固定される虫が増えるに従って、複数設けられた孔ｈが虫によって塞がれ、吸着部裏面の紫外線強度が低下する。
【００３６】
そして吸着部裏面側に設けられた紫外線強度センサ１１で得られる紫外線強度が閾値を下回ると、十分多くの虫が吸着部６に固定されたと判断される。
そして、図９（ｃ）に示すように、ポンプ８Ｐを逆方向に回転させ、孔より空気を噴出し、固定された虫を吸着部６から放すと、虫Ｍは蓋２の内面にあたって、虫収集部５に落下する。
【００３７】
この状態で、マイクロ波加熱装置Ｈを用いて一定時間殺虫部に通電がなされ、十分熱が上がり、虫が死滅したところで、殺虫部７を構成する電熱線の電源が切断される。
このようにして吸着部の孔に付着した虫が除去され、吸着部裏面の紫外線強度が元に戻り、紫外線強度センサ１１の出力が所定の値以上になると、再びポンプを順方向に回転させ、吸引動作に戻る。
【００３８】
このように、本実施の形態の害虫防除装置によれば、気流により虫を吸着部に吸着するため、吸引効果の減少なしに継続して使用でき、また吸着部に吸着させた虫を、気流を逆方向に生じさせることにより、虫収集部５に収集しこの後に殺虫することにより、効率よく処理することができる。従って、継続的処理が可能で、メンテナンスが容易である。
この場合は前記実施の形態１において図６に示したタイムチャートによれば、開放状態で吸着し、殺虫後、殺虫された虫が剥離すればよいため、逆方向の気流はわずかでよかったが、本実施の形態では、順方向逆方向同程度の時間が必要である。
【００３９】
なお、前記実施の形態では、吸着部６表面もしくは背面に設けられる電熱線に代えて、虫収集部５にマイクロ波加熱装置が設けられている。この場合は、吸着部６で吸着された虫を生きたまま虫収集部に導き、虫収集部で殺虫することになる。ここで殺虫部としては、マイクロ波発生部を設けマイクロ波加熱を行う他、虫収集部に電熱線を形成してもよいし、赤外線照射部を設けてもよい。また、ケース１を蓋２で閉じた状態で内部空間に殺虫剤を供給し、殺虫剤による殺虫を行うようにしてもよい。この殺虫剤は液体でもよいし、気体でもよい。
なお、本実施の形態においても、吸着部６の近傍に殺虫部を設け、吸着部からの剥離に先立ち殺虫を行なうようにしてもよい。
【００４０】
（実施の形態３）
次に本発明の実施の形態３の害虫防除装置について説明する。
この害虫防除装置は図１１に示すように、樋状の反射板３３Ｒを配した誘虫ランプ３３を具備した虫誘引部３０と、パラボラ反射鏡を配したハロゲンランプからなる複数の虫加熱部３７を、昆虫誘引部３０の上方に配置し、虫誘引部３０を樋状反射板３３Ｒおよび誘虫ランプ３３に対向して開口部Ｏを間にして下方に配置し、ランプ光を開口部Ｏの外部に反射している。パラボラ反射鏡は開口を虫誘引部３０の表面に向け、ハロゲンランプの光を虫誘引部３０の表面に照射している。ハロゲンランプからなる虫加熱部３７のパラボラ反射鏡３７Ｒはアルミニウム基材で形成し、反射面はアルマイト処理をして構成される。誘虫ランプ３３は、発光ピーク波長が３６５ｎｍ近傍にある誘虫蛍光灯を用いた。昆虫誘引部３０は、鋼板に耐熱白色塗装（シリコン樹脂系）したものを使用し、捕殺した昆虫が、滑落し易いように、水平面に対して３０°の傾斜になるように配置した。
【００４１】
本実施の形態では、電熱線パターンを用いたヒータに代えて、ハロゲンランプを使用するものであり、その他は第１の実施の形態と同様である。前記実施の形態１と同様、気流生成部３８が設けられており、誘引された昆虫を気流で殺虫部に引きつけ、虫加熱部３７で加熱して殺虫し、この虫加熱部３７で構成された殺虫部で殺虫された虫を、気流生成部３８で殺虫部から剥がし、虫収集部３５に収集する。
【００４２】
このように、虫誘引部、虫殺虫部の構成は実施の形態の構造に限定されることなく、適宜変更可能であり、本発明によれば、誘引されてきた虫を、気流生成部で発生させた気流で虫殺虫部に導き、虫殺虫部で殺虫処理をした後、気流生成部の気流を逆方向に変更し、虫殺虫部から剥がし、虫収集部に滑落させることで、継続してメンテナンスなしに殺虫処理を行うことが可能である。
【００４３】
（実施の形態４）
次に本発明の実施の形態４の害虫防除装置について説明する。
この害虫防除装置は図１２および図１３に示すように、孔ｈを有する吸着部４６は、溝を形成したアルミナセラミックス板で構成され、その溝に沿ってヒータ線例えばニクロム線からなる電熱線で構成された殺虫部４７を配置し、この殺虫部４７をタイマ４０によりタイマ制御で通電する。また、捕殺した昆虫が、滑落し易いように、吸着部４６を水平面に対して４５°の傾斜になるように配置する。
【００４４】
誘引部（図示せず）に誘引された虫は吸着部４６に着地するときニクロム線により加熱される。すなわち虫誘引部の近傍の着地面が虫加熱部となっている。加熱された虫は、図示しない気流生成部により生成された逆流によって虫誘引部を滑落し、虫収集部に落下する。他部については第１および第２の実施の形態と共通する。
本実施の形態ではタイマーにより駆動を制御しているため、省電力化にも有効である。
【００４５】
（実施の形態５）
次に本発明の実施の形態５の害虫防除装置について説明する。
本実施の形態では第１の実施の形態における誘虫ランプに代えて匂い刺激剤であるフェロモン剤６０を設けたことを特徴とする。すなわち、この捕虫殺虫装置は、図１４および図１５に示すように、断面が放物線の形状をした樋状の反射板６３Ｒを配した赤外線ランプ６３を昆虫誘引部６６の上方のケース６１の上端部に下向きに配置する。赤外線ランプの反射板６３Ｒは、表面にクロムメッキ処理を施したものを使用した。昆虫誘引部６６は、赤外吸収部を兼ね、鋼板に黒色の赤外線吸収塗料を塗布したものを使用し、開口部Ｏの奥側で赤外線ランプ６３に向けて傾斜姿勢でケース６１に固定し、下端部とケース６１の前面部との間に虫収集部６５に虫を落下させるための隙間を形成した。６８は気流生成部である。昆虫誘引部６６の上端に誘引部材として花柄の模様をもつフェロモン剤６０を配置している。赤外線ランプ６３は、タイマで所定の時間間隔で一定時間点灯するように設定する。赤外線ランプ６３の熱は、誘引した昆虫の捕殺とフェロモン剤６０の蒸散に利用される。赤外線ランプ６３としてはカーボンヒータを用いた。この実施の形態では誘虫ランプをもたない分、小型化が可能である。
なお、上記実施の形態で述べた構成は一例であり、このほか誘引部、殺虫部、虫収集部の各構成については、特許文献１に記載の構成が適用可能である。
【産業上の利用可能性】
【００４６】
以上説明してきたように、本発明によれば、メンテナンスの容易は害虫防除装置を提供することから、家庭用からオフィスやショールームなど、広範囲に適用可能である。
【図面の簡単な説明】
【００４７】
【図１】本発明の実施の形態１の害虫防除装置を示す斜視図
【図２】本発明の実施の形態１の害虫防除装置を示す断面図
【図３】本発明の実施の形態１の害虫防除装置を示す要部断面説明図
【図４】本発明の実施の形態１の害虫防除装置の殺虫部を示す要部図
【図５】本発明の実施の形態１の害虫防除装置の気流形成部を示す要部図
【図６】本発明の実施の形態１の害虫防除装置の気流形成部と紫外線センサとの出力を示すタイムチャート
【図７】本発明の実施の形態２の害虫防除装置を示す図
【図８】本発明の実施の形態２の害虫防除装置を示す図
【図９】本発明の実施の形態２の害虫防除装置を示す図
【図１０】本発明の実施の形態２の害虫防除装置の気流形成部と紫外線センサとの出力を示すタイムチャート
【図１１】本発明の実施の形態３の害虫防除装置を示す斜視図
【図１２】本発明の実施の形態４の害虫防除装置を示す斜視図
【図１３】本発明の実施の形態４の害虫防除装置を示す断面図
【図１４】本発明の実施の形態５の害虫防除装置を示す斜視図
【図１５】本発明の実施の形態５の害虫防除装置を示す断面図
【図１６】従来例の害虫防除装置を示す断面図
【符号の説明】
【００４８】
１  ケース
２  蓋
３  誘引部
４  レール
５  虫収集部
６Ｓ  吸着板
６  吸着部
７  殺虫部
【図１】
0004990815.tif 000002
【図２】
0004990815.tif 000003
【図３】
0004990815.tif 000004
【図４】
0004990815.tif 000005
【図５】
0004990815.tif 000006
【図６】
0004990815.tif 000007
【図７】
0004990815.tif 000008
【図８】
0004990815.tif 000009
【図９】
0004990815.tif 000010
【図１０】
0004990815.tif 000011
【図１１】
0004990815.tif 000012
【図１２】
0004990815.tif 000013
【図１３】
0004990815.tif 000014
【図１４】
0004990815.tif 000015
【図１５】
0004990815.tif 000016
【図１６】
0004990815.tif 000017